(57)【要約】【課題】意匠性を維持しつつ、保守スイッチ使用時に保守スイッチ部カバーが利用者や他の機器の怪我や破損を防止できるエレベーターかご内操作盤を提供する。【解決手段】専用のキーで開錠または施錠できる機構を有したかご内操作盤カバーと同一意匠の保守スイッチ部カバーにおいて、保守スイッチ部カバーの裏面に回転軸で開閉する機構を設けた保守スイッチ部を備え、保守スイッチ部カバーを閉じた状態ではかご内操作盤カバーと同一面となることから意匠性を維持し、保守スイッチ使用時は保守スイッチ部カバーはかご内操作盤内に収納され利用者や他の機器と接触が回避され怪我や破損を防止できるようにした。また、保守スイッチ部の開閉機構である回転軸を回転させる角度と保守スイッチ部カバーに設けた錠を用いて過度な回転を抑止できるようにした。さらに、保守スイッチ部の開閉機構である回転軸を中空状にしスイッチ類の配線の配管とすることで断線や挟み込みの懸念を払拭した。【選択図】図３
2013220865.tif 000002
【特許請求の範囲】
【請求項１】
乗りかごの位置表示器と、乗りかごの昇降を支持する操作ボタンと、保守スイッチ部を操作盤カバー上に配置し、各部品を接続する配線を有するエレベータのかご内操作盤において、
前記保守スイッチ部は前記操作部カバーと同一面上に設けた保守スイッチ部カバーと、該保守スイッチ部カバーの裏面に設けた保守スイッチを有し、前記保守スイッチ部カバーを前記かご内操作盤に回転軸を介して前記保守スイッチを格納する閉鎖位置と、前記保守スイッチを前記操作盤カバー上に出す操作位置の間を、回転自在に設けたことを特徴とするエレベータのかご内操作盤。
【請求項２】
請求項１に記載のエレベータのかご内操作盤において、前記回転軸を中空軸とし、前記配線を前記中空軸からなる回転軸内に通して配設したことを特徴とするエレベータのかご内操作盤。
【請求項３】
請求項１または２に記載のエレベータのかご内操作盤において、前記保守スイッチ部の保守スイッチを、スイッチ取付プレート上に配設したことを特徴とするエレベータのかご内操作盤。
【請求項４】
請求項３に記載のエレベータのかご内操作盤において、前記保守スイッチを配設したスイッチ取付プレートを、前記操作盤カバーと同一面上に設けたことを特徴とするエレベータのかご内操作盤。
【請求項５】
請求項１乃至４のいずれかに記載のエレベータのかご内操作盤において、前記保守スイッチ部カバーを前記閉鎖位置と前記操作位置において固定する係止手段を設けたことを特徴とするエレベータのかご内操作盤。
【請求項６】
請求項５に記載のエレベータのかご内操作盤において、前記閉鎖位置での係止手段を前記保守スイッチ部カバーの錠とし、前記操作位置での係止手段を係止部材としたことを特徴とするエレベータのかご内操作盤。
【発明の詳細な説明】
【技術分野】
【０００１】
本発明は、エレベーターの昇降を指示するかご内操作盤に関するものである。また、特にかご内操作盤に設けられた保守スイッチ収納部のカバーを、閉じた状態では開閉部以外と同一面として構成し、開いた状態において利用者等との接触や干渉を回避できるかご内操作盤に関する。
【背景技術】
【０００２】
エレベーターのかご内操作盤に設けられた保守スイッチ部は、一般に、主たる操作盤内に一体に組み込まれることが多い。保守スイッチ部は一般乗客と異なり、検査員が保守点検時に操作するものであり、専用のキーで開錠または施錠できる施錠機構を備えた保守スイッチ部カバーと開閉機構で構成している。
【０００３】
保守スイッチ部カバーの開閉方法には、開閉する保守スイッチ部カバーと開閉しないかご内操作盤カバーをヒンジ機構で結合し扉のようにスイングして開閉する構造や、かご内操作盤カバーに保守スイッチスペース分の穴を作り、その内側に穴の範囲を上下にスライドするカバーを設けて塞ぐ構成などがある。
【０００４】
例えば特許文献１には、 エレベーターのかご操作盤において、停止階登録用押ボタンの設定変更を容易に行い、エレベーターのかご操作盤の変更費用の低減と設定変更作業の短縮を実現するため、 操作盤本体を回動可能な三角柱状や五角柱状等の構造とし、各面毎に必要な停止階の分の停止階登録用押ボタンを設け、必要に応じて操作盤本体を回動させ、操作盤面を選択して設定変更を行う構成が開示されている。
【先行技術文献】
【特許文献】
【０００５】
【特許文献１】特開平１１−６０１１５号公報
【発明の概要】
【発明が解決しようとする課題】
【０００６】
しかしながら、保守スイッチ部カバーが扉のようにスイングする構造では保守スイッチを使用する際に保守スイッチ部カバーが開いた状態となるため、利用者が保守スイッチ部カバーと接触し怪我をしたり、保守スイッチ部カバー自体の破損が懸念される。
【０００７】
一方、保守スイッチ部カバーがスライドする構造では、怪我や破損の恐れは無いが、保守スイッチ部カバーはかご内操作盤カバーと同一面とできず意匠性（外観）の低下が避けられない。また保守スイッチ部部分が凹んでいるため、利用者に対し身体やカバン等が引っ掛かる等の問題も発生する。
【０００８】
さらに、引用文献１に記載されたような構成では、操作盤全体を回転させ、種々の使用形態に応じた複数種類の操作盤を提供するものであって、本発明とは基本的構成が異なる。即ち本発明はかご内操作盤内に一体に設けた保守スイッチ部の構成の改良に関するもので、複数種類の操作盤を提供するものではなく、引用文献１のような大掛かりな構成を必要とするものではない。
【０００９】
本発明は、前述した従来技術における実状からなされたもので、その目的は、保守スイッチ部カバーを閉じた状態ではかご内操作盤カバーと同一面となることで整理された外観という意匠性を維持しかつ利用者の障害となることがなく、スイッチ使用時も保守スイッチ部カバーが利用者や他の機器との接触や干渉を回避し、利用者等の怪我や保守スイッチ部自体の破損を防止できるエレベーターかご内操作盤を提供する。
【課題を解決するための手段】
【００１０】
前記目的を達成するために、本発明は、かご内操作盤カバーと同一面に構成された意匠をもち、専用のキーで開錠または施錠できる施錠機構を有した保守スイッチ部カバーにおいて、前記保守スイッチ部カバーの裏面に回転軸で回転開閉する機構を設けた保守スイッチ部を備えたことを特徴とする。
【００１１】
このように構成した本発明では、保守スイッチ部カバーを閉じた状態ではかご内操作盤カバーと同一面となることから意匠性は維持しつつ、保守スイッチ使用時は保守スイッチ部カバーはかご内操作盤内に収納されることから、利用者や他の機器と接触が回避され怪我や破損を防止できる。
【００１２】
また、本発明は、前記保守スイッチ部の開閉機構である回転軸の回転角度を保守スイッチ部の非使用時の閉鎖位置（０度）と、保守スイッチ部の操作時の操作位置（１８０度回転）として反転させ、且つ保守スイッチ部カバーに設けた錠を用いて上記各位置で回転抑止機構を備えたことを特徴とする。
【００１３】
このように構成した本発明では、開いた保守スイッチ部カバーの意図しない回転動作を防止でき、保守スイッチ使用時の指や手の挟み込みを防止できる。
【００１４】
さらに、本発明は前記保守スイッチ部の開閉機構である回転軸を中空状にすることで、スイッチ類の配線の配管として利用できることを特徴とする。
【００１５】
このように構成した本発明では、回転動作で生じる配線への断線や挟み込みの懸念を払拭できる。
【発明の効果】
【００１６】
本発明によれば、保守スイッチ部カバーを閉じた状態ではかご内操作盤カバーと同一面となることで意匠性を維持でき、保守スイッチ使用時も保守スイッチ部カバーはかご内操作盤内に収納されるため、利用者や他の機器と接触のを回避し利用者の怪我や保守スイッチ部カバー自体の破損を防止できる。
【図面の簡単な説明】
【００１７】
【図１】本発明のエレベーター用かご内操作盤を適用したエレベーター乗りかご内部を示す模式図。
【図２】本発明の実施例１のエレベーター用かご内操作盤を示す正面図。
【図３】本発明の実施例１の保守スイッチ部カバーの閉状態を示す正面図。
【図４Ａ】図３における保守スイッチ部カバーの閉状態を示すＡＡ断面図。
【図４Ｂ】図３における保守スイッチ部カバーの回転途中の状態を示すＡＡ断面図。
【図５】本発明の実施例１の保守スイッチ部カバーの開状態を示す正面図。
【図６Ａ】図５の保守スイッチ部カバー開状態での施錠つまみ動作を示すＢＢ断面図。
【図６Ｂ】図５の保守スイッチ部カバーの開状態での施錠後の状態を示すＢＢ断面図。
【図７】本発明の実施例２の保守スイッチ部カバーの開状態の縦断面図。
【発明を実施するための形態】
【００１８】
以下、本発明に係るエレベーター用かご内操作盤の実施の形態を、実施例に基づいて説明する。
【実施例１】
【００１９】
図１は本発明のエレベーター用かご内操作盤を適用したエレベーターの乗りかごを示す図、図２はエレベーター用かご内操作盤を示す図である。
【００２０】
図１に示すように、エレベーターの乗りかごＤは出入口扉１、側面側板２、前側板３、前側板３に設置されるかご内操作盤４等から構成される。
【００２１】
図２に示すようにかご内操作盤４は、位置表示器５と、非常時に外部と連絡を取る連絡装置６と、出入口扉の開閉や行先階床登録を行う操作ボタン７と、保守スイッチ等の各種スイッチを収納する保守スイッチ部８および保守スイッチ部カバー９から構成されている。４Ａは操作盤表面の操作盤カバー、１１は保守スイッチ部カバー９に設けられた錠である。
【００２２】
本発明で使用する保守スイッチ部８は図３のように、保守スイッチ部カバー９と保守スイッチ部カバー９に保守スイッチ部８の上下部に一対で設けられる回転軸１３と、回転軸１３をはさんで裏面に保守スイッチ１２を備えたスイッチ取付プレート１０で構成される。
【００２３】
図３は本発明の実施例１の保守スイッチ部カバーが閉鎖位置にある閉状態を示す正面図である。図３に示すように、エレベーターの通常使用時には、保守スイッチ部カバー９は錠１１により施錠されて閉じた状態にある。保守作業時に専用キーにより錠１１を開錠し、回転軸１３を中心に回転させる。１３Ａは回転軸１３を支持する軸受である。またＣＣ線は鉛直方向に設けられた回転軸１３の軸心である。
【００２４】
図４Ａ、４Ｂは図３におけるＡＡ断面図である。図４Ａにおいて、エレベーターの通常使用時には、保守スイッチ部カバー９は錠１１により施錠されて閉じた状態にある。次に図４Ｂに示すように、保守作業時に専用キーにより錠１１を開錠し、保守スイッチ部カバー９を回転軸１３を中心に回転させる。
【００２５】
保守スイッチ部カバー９を図４Ｂからさらに回転させると、図５の操作位置にある状態となる。図５は、実施例１の保守スイッチ部カバー９の操作位置における開状態を示す正面図である。図５に示すように、保守スイッチ１２を備えたスイッチ取付プレート１０が表面に現れて保守スイッチ１２の操作が可能になる。
【００２６】
この後、図６Ａに示すように錠１１の裏面に設けた裏面開施錠つまみ１５をスライド操作し、再び施錠することにより、保守スイッチ１２操作時の保守スイッチ部カバー９の回転動作を抑制することができる。
【００２７】
保守作業終了後に、保守スイッチ部カバー９を閉状態に戻す場合は、錠１１の裏面に設けた係止部材である裏面開施錠つまみ１５を図６Ｂと反対方向に操作して開錠し、スイッチ取付プレート１０を回転させ、保守スイッチ部カバー９が表面に現れたら、専用キーにより錠１１を施錠する。
【００２８】
図６Ａ、６Ｂに示すように、回転軸１３の位置を適宜選択することによって、保守スイッチ部カバー９とスイッチ取付プレート１０が回転後に、操作盤カバー４Ａと同一面に位置するように設定することができる。この様にすれば、保守スイッチ部８の非使用時には保守スイッチ部カバー９は操作盤カバー４Ａと同一面に位置して、意匠性がよく操作の邪魔にならないとともに、保守スイッチ部８の使用時には、スイッチ取付プレート１０が操作盤カバー４Ａと同一面に位置するため、保守スイッチ１２の操作が容易となる。
【００２９】
本発明は、上記の様に保守スイッチ部カバーの回転し過ぎを防止することで使用時の手や指が挟まれることを防ぐことができる。
【実施例２】
【００３０】
図７は実施例２における保守スイッチ部カバー９の開状態を示す側面図である。保守スイッチ１２の配線１４は中空部を有する中空状の回転軸１３０の中を通り、操作盤下部の図示しないコネクタに接続される。１３０Ａは軸受部である。
【００３１】
従来例に示すように、かご内操作盤内に配線をはい回す場合は、かご内操作盤に設けた保守スイッチ部カバーの回動に従って長くはい回された配線の移動量が大きくなるため、配線が相互に干渉して絡まり、かご内操作盤の内部で捩れる可能性が大きくなる。
【００３２】
これに対し、実施例２では、配線１４は回転軸１３０の中を通っているため、回転軸に沿って最小距離で配置された配線１４は、保守スイッチ部カバー９の回転による移動距離が小さくなるため、配線が相互に干渉して絡まり、かご内操作盤４の内部で捩れる可能性を十分に小さくすることができる。従って配線の捩れや断線、周囲への挟み込みを回避することができる。
〔変形例〕
実施例１、２において、回転軸は鉛直方向に設けられている。しかし回転軸は水平方向に設けることも可能であり、かご内操作盤の形状や配置によっては、水平方向に回転軸を用いてもよい。
【００３３】
但し、一般には乗りかご及び操作盤内の配線は上下方向に配置されており、これに整合させて、特に実施例２のような中空軸内を配線するためには、回転軸が縦方向であるほうが都合がよい。
【符号の説明】
【００３４】
１：出入口扉
２：側面側板
３：前側板
４：かご内操作盤
４Ａ：操作盤カバー
５：位置表示器
６：連絡装置
７：操作ボタン
８：保守スイッチ部
９：保守スイッチ部カバー
１０：スイッチ取付プレート
１１：錠
１２：保守スイッチ
１３：回転軸
１３Ａ：軸受
１４：配線
１５：裏面開施錠つまみ
Ｄ：乗りかご
【図１】
2013220865.tif 000003
【図２】
2013220865.tif 000004
【図３】
2013220865.tif 000005
【図４Ａ】
2013220865.tif 000006
【図４Ｂ】
2013220865.tif 000007
【図５】
2013220865.tif 000008
【図６Ａ】
2013220865.tif 000009
【図６Ｂ】
2013220865.tif 000010
【図７】
2013220865.tif 000011